(57)【要約】【課題】スケジュールや運用状況等の使用条件に応じてスクリーンロック機能の動作を制御することが可能な医療装置、スクリーンロック制御システムおよびスクリーンロック制御プログラムである。【解決手段】医療装置１は、装置の操作状況ステータスとスクリーンロック機能の動作方法とを関連付けた動作設定情報を保存する設定管理部１１と、スクリーンロック機能を動作させるスクリーンロック制御部１４と、操作状況ステータスを取得し、設定管理部１１に保存された動作設定情報に基づいてスクリーンロック機能の動作指示をスクリーンロック制御部１４に与えることにより操作状況ステータスに応じてスクリーンロック機能の動作を制御する装置監視部１３とを有する。【選択図】  図１
2006230648.tif 000002
【特許請求の範囲】
【請求項１】
装置の操作状況ステータスとスクリーンロック機能の動作方法とを関連付けた動作設定情報を保存する設定管理部と、
前記スクリーンロック機能を動作させるスクリーンロック制御部と、
前記操作状況ステータスを取得し、前記設定管理部に保存された前記動作設定情報に基づいて前記スクリーンロック機能の動作指示を前記スクリーンロック制御部に与えることにより前記操作状況ステータスに応じて前記スクリーンロック機能の動作を制御する装置監視部と、
を有することを特徴とする医療装置。
【請求項２】
装置の操作状況ステータスとオートスクリーンロック機能の動作方法とを関連付けた動作設定情報を保存する設定管理部と、
前記オートスクリーンロック機能を動作させるスクリーンロック制御部と、
前記操作状況ステータスを取得し、前記設定管理部に保存された前記動作設定情報に基づいて前記オートスクリーンロック機能の動作指示を前記スクリーンロック制御部に与えることにより前記操作状況ステータスに応じて前記オートスクリーンロック機能の動作を制御する装置監視部と、
を有することを特徴とする医療装置。
【請求項３】
装置の操作状況ステータスと手動によるスクリーンロック機能の動作方法とを関連付けた動作設定情報を保存する設定管理部と、
前記手動によるスクリーンロック機能の動作の指示を入力装置から受けるインタラクティブ動作切換部と、
前記スクリーンロック機能を動作させるスクリーンロック制御部と、
前記インタラクティブ動作切換部から前記手動によるスクリーンロック機能の動作の指示を受けた場合に前記操作状況ステータスを取得し、前記設定管理部に保存された前記動作設定情報を参照して前記スクリーンロック機能の動作が禁止されていないと判定される場合には前記スクリーンロック機能の動作指示を前記スクリーンロック制御部に与えることにより前記操作状況ステータスに応じて前記スクリーンロック機能の動作を制御する装置監視部と、
を有することを特徴とする医療装置。
【請求項４】
各種アプリケーションを実行するアプリケーション実行部を備え、
前記装置監視部は、前記アプリケーション実行部から前記アプリケーションの実行状況ステータスの通知を受けることにより前記操作状況ステータスを取得するように構成されることを特徴とする請求項１ないし３のいずれか１項に記載の医療装置。
【請求項５】
各種機能を有するハードウェアを具備するハードウェア構成部を備え、
前記装置監視部は、前記ハードウェア構成部から所要のハードウェアの動作状況ステータスの通知を受けることにより前記操作状況ステータスを取得するように構成されることを特徴とする請求項１ないし３のいずれか１項に記載の医療装置。
【請求項６】
寝台に患者がセットされているか否かを確認するための重量感知センサを備え、
前記装置監視部は、前記重量感知センサから動作状況ステータスの通知を受けることにより前記操作状況ステータスを取得するように構成されることを特徴とする請求項１ないし３のいずれか１項に記載の医療装置。
【請求項７】
前記装置監視部は、入力装置から前記動作設定情報の変更情報を受けた場合に前記操作状況ステータスと現在の前記動作設定情報とから前記動作設定情報の変更が禁止されているか否かを判定し、禁止されていない場合に前記動作設定情報の変更情報を前記設定管理部に与えて前記動作設定情報を変更させるように構成されることを特徴とする請求項１ないし３のいずれか１項に記載の医療装置。
【請求項８】
前記医療装置は、画像診断装置であり、
前記設定管理部は、造影剤注入開始からスキャン開始までのタイムラグを考慮して、造影剤注入開始からスキャン終了までスクリーンロック機能の動作を禁止するように作成された前記動作設定情報を保存するように構成されることを特徴とする請求項１ないし３のいずれか１項に記載の医療装置。
【請求項９】
前記医療装置は、画像診断装置であり、
前記設定管理部は、患者登録状態、画像撮影状態、画像観察状態およびファイリング状態の少なくとも１つの状態においてスクリーンロック機能の動作を禁止するように作成された前記動作設定情報を保存するように構成されることを特徴とする請求項１ないし３のいずれか１項に記載の医療装置。
【請求項１０】
被験者が緊急時に緊急停止要求を行うためのアラートボタンを備え、
前記設定管理部は、前記被験者からの前記緊急停止要求が存在するか否かというステータスに前記スクリーンロック機能の動作方法を関連付けて作成された前記動作設定情報を保存するように構成される一方、前記装置監視部は、前記アラートボタンから動作状況ステータスの通知を受けることにより前記操作状況ステータスを取得するように構成されることを特徴とする請求項１ないし３のいずれか１項に記載の医療装置。
【請求項１１】
複数のコンソールを備え、
前記スクリーンロック制御部は、前記各コンソールにそれぞれ前記スクリーンロック機能の動作指示を与えるように構成されることを特徴とする請求項１ないし３のいずれか１項に記載の医療装置。
【請求項１２】
前記設定管理部は、前記コンソール別に前記スクリーンロック機能の動作方法を関連付けて作成された前記動作設定情報を保存するように構成されることを特徴とする請求項１１記載の医療装置。
【請求項１３】
前記設定管理部は、前記医療装置の使用個所ごとに前記スクリーンロック機能の動作方法を関連付けて作成された前記動作設定情報を保存するように構成されることを特徴とする請求項１ないし３のいずれか１項に記載の医療装置。
【請求項１４】
前記使用個所を特定するための使用個所情報を取得する使用個所情報取得部を設け、
前記装置監視部は前記使用個所情報取得部から前記使用個所情報を受けることにより前記操作状況ステータスを取得するように構成されることを特徴とする請求項１３記載の医療装置。
【請求項１５】
前記医療装置は、医用画像保管通信システムであり、
前記設定管理部は、前記医用画像保管通信システムの利用対象の種別ごとに前記スクリーンロック機能の動作方法を関連付けて作成された前記動作設定情報を保存するように構成されることを特徴とする請求項１ないし３のいずれか１項に記載の医療装置。
【請求項１６】
前記医療装置は、放射線情報システムであり、
前記設定管理部は、前記放射線情報システムの利用目的別に前記スクリーンロック機能の動作方法を関連付けて作成された前記動作設定情報を保存するように構成されることを特徴とする請求項１ないし３のいずれか１項に記載の医療装置。
【請求項１７】
前記設定管理部は、オートスクリーンロック機能の動作タイマの時間を前記操作状況ステータスに関連付けて作成された前記動作設定情報を保存するように構成されることを特徴とする請求項１または２記載の医療装置。
【請求項１８】
装置の操作状況ステータスとスクリーンロック機能の動作方法とを関連付けた動作設定情報を保存する設定管理部と、
前記スクリーンロック機能を動作させるスクリーンロック制御部と、
前記操作状況ステータスを取得し、前記設定管理部に保存された前記動作設定情報に基づいて前記スクリーンロック機能の動作指示を前記スクリーンロック制御部に与えることにより前記操作状況ステータスに応じて前記スクリーンロック機能の動作を制御する装置監視部と、
を有することを特徴とするスクリーンロック制御システム。
【請求項１９】
コンピュータを、
装置の操作状況ステータスとスクリーンロック機能の動作方法とを関連付けた動作設定情報を保存する設定管理部、
前記スクリーンロック機能を動作させるスクリーンロック制御部、および
前記操作状況ステータスを取得し、前記設定管理部に保存された前記動作設定情報に基づいて前記スクリーンロック機能の動作指示を前記スクリーンロック制御部に与えることにより前記操作状況ステータスに応じて前記スクリーンロック機能の動作を制御する装置監視部、
として機能させることを特徴とするスクリーンロック制御プログラム。
【発明の詳細な説明】
【技術分野】
【０００１】
本発明は、超音波診断装置、Ｘ線ＣＴ（ｃｏｍｐｕｔｅｄ  ｔｏｍｏｇｒａｐｈｙ）装置、Ｘ線撮影装置、磁気共鳴イメージング（ＭＲＩ：ｍａｇｎｅｔｉｃ  ｒｅｓｏｎａｎｃｅ  ｉｍａｇｉｎｇ）装置等の画像診断装置や病院情報システム（ＨＩＳ：ｈｏｓｐｉｔａｌ  ｉｎｆｏｒｍａｔｉｏｎ  ｓｙｓｔｅｍ），放射線情報システム（ＲＩＳ：ｒａｄｉｏｌｏｇｙ  ｉｎｆｏｒｍａｔｉｏｎ  ｓｙｓｔｅｍ）、医用画像保管通信システム（ＰＡＣＳ：ｐｉｃｔｕｒｅ  ａｒｃｈｉｖｉｎｇ  ａｎｄ  ｃｏｍｍｕｎｉｃａｔｉｏｎ  ｓｙｓｔｅｍ）等の医用情報システムといった医療装置、スクリーンロック制御システムおよびスクリーンロック制御プログラムに係り、特に、検査、診断およびメンテナンス等の運用状況といった条件に応じてスクリーンロック（Ｓｃｒｅｅｎ  Ｌｏｃｋ）機能を制御することが可能な医療装置、スクリーンロック制御システムおよびスクリーンロック制御プログラムに関する。
【背景技術】
【０００２】
従来、コンピュータ等の各種システムに記憶されたデータ（情報）へのアクセスに対するセキュリティ管理が行われている。従来のセキュリティ管理技術の１つにスクリーンロック機能が挙げられる。スクリーンロック機能は、作業が中断される場合、例えば、一定時間、入力装置からキー入力やマウス操作等の操作がなかった場合や、予め定められた一連の入力装置の操作があった場合に表示装置の画面をロックさせて他者が操作できないようにするセキュリティ管理技術である（例えば非特許文献１参照）。このうち、特にキー入力やマウス操作等の入力装置が操作されることなく一定時間が経過した場合のように、入力装置の操作に依存せずに自動的に表示装置の画面をロックさせる機能はオートスクリーンロック機能と称することができる。
【０００３】
一方、医療装置においても同様にデータ（情報）へのアクセスに対するセキュリティ管理が行われている。医療装置においてアクセス制限を行った他のセキュリティ管理技術としては、例えば、端末装置の使用開始前において中断されたままの中断業務の有無を確認する機能、端末装置の使用中断中に所定の情報を秘匿する機能、中断業務が存在する場合に中断業務に係わる情報を待避する機能、端末装置に対するアクセスの正当性を検知する機能を備えたセキュリティ管理機構を医用画像データベースシステムにネットワークを介して接続した技術が考案されている（例えば特許文献１参照）。
【０００４】
そして、このようなセキュリティ管理機構により、ユーザが医用画像データベースシステムの端末装置の操作を中断し、端末装置の前を離れたときでも医用画像データベースシステムの使用が許可されていない者に対する情報の漏洩の防止、端末装置の正当使用者の判別による情報の不正な作成、変更、消失の防止が図られている。
【特許文献１】特開平５−１９７６８８号公報
【非特許文献１】Linux Documentation Project Guides、[ｏｎｌｉｎｅ]，Last Modified: 2004-11-03、[平成１６年１１月９日検索]、インターネット＜ＵＲＬ：http://www.tldp.org/guides.html＞
【発明の開示】
【発明が解決しようとする課題】
【０００５】
従来より、医療装置においても他の商用システムと同様にスクリーンロック機能を実装することが患者情報の保護の観点からもが必要であると考えられている。
【０００６】
しかしながら、医療装置では、その使用状況によってはスクリーンロック機能の動作が望ましい場合とスクリーンロック機能の動作が望ましくない場合とがある。例えば、Ｘ線ＣＴ装置において装置が常にフル稼動する状況ではスクリーンロック機能による画面ロックが業務を阻害する恐れがある。逆に、Ｘ線ＣＴ装置の稼働率が低い状況では患者情報の保護のためにスクリーンロック機能をむしろ積極的に使用すること重要となる。
【０００７】
従って、医療装置に他のシステムに用いられているスクリーンロック機能を単に実装するのみとする場合には、ユーザが医療装置の使用状況に応じて入力装置からのユーザ指示を与えて手動によりスクリーンロック機能のＯＮ／ＯＦＦを切換えることが必要となる。このため、医療装置では、効率的なスクリーンロック機能の利用が困難となる恐れがある。
【０００８】
例えば、スキャン時や患者情報入力時等のように予め決められた特定の状況となった場合にユーザが手動によりスクリーンロック機能をオフにするといった作業が必要となる。逆に、スキャン時や患者情報入力時等のようにスクリーンロック機能の動作を禁止すべき状況において、スクリーンロック機能をオフにするといった作業を怠ると、患者の安全性や診断を阻害する要因となる恐れがある。
【０００９】
また、医用装置の操作状況において、操作者が必ずいる場合は、悪意のあるユーザが装置を利用することは出来ないので、スクリーンロック機能の動作は必ずしも必須ではない。
【００１０】
つまり、医療装置に従来のスクリーンロック機能をそのまま実装すると、スクリーンロック機能の動作が、実際の医療現場毎あるいはスケジュール毎の運用状況に則さない動作になる恐れがあるという問題がある。
【００１１】
そして、このような装置の運用状況にスクリーンロック機能の動作が則さないという問題はＸ線ＣＴ装置のみならず、他の医療装置でも同様に抱えている。そこで、医療装置の運用状況に則してスクリーンロック機能が動作するような技術の開発が望まれる。さらには、医療装置におけるオートスクリーンロック機能の実装技術の開発も重要な課題であると考えられる。
【００１２】
本発明はかかる従来の事情に対処するためになされたものであり、スケジュールや運用状況等の使用条件に応じてスクリーンロック機能の動作を制御することが可能な医療装置、スクリーンロック制御システムおよびスクリーンロック制御プログラムを提供することを目的とする。
【課題を解決するための手段】
【００１３】
本発明に係る医療装置は、上述の目的を達成するために、請求項１に記載したように、装置の操作状況ステータスとスクリーンロック機能の動作方法とを関連付けた動作設定情報を保存する設定管理部と、前記スクリーンロック機能を動作させるスクリーンロック制御部と、前記操作状況ステータスを取得し、前記設定管理部に保存された前記動作設定情報に基づいて前記スクリーンロック機能の動作指示を前記スクリーンロック制御部に与えることにより前記操作状況ステータスに応じて前記スクリーンロック機能の動作を制御する装置監視部とを有することを特徴とするものである。
【００１４】
また、本発明に係る医療装置は、上述の目的を達成するために、請求項２に記載したように、装置の操作状況ステータスとオートスクリーンロック機能の動作方法とを関連付けた動作設定情報を保存する設定管理部と、前記オートスクリーンロック機能を動作させるスクリーンロック制御部と、前記操作状況ステータスを取得し、前記設定管理部に保存された前記動作設定情報に基づいて前記オートスクリーンロック機能の動作指示を前記スクリーンロック制御部に与えることにより前記操作状況ステータスに応じて前記オートスクリーンロック機能の動作を制御する装置監視部とを有することを特徴とするものである。
【００１５】
また、本発明に係る医療装置は、上述の目的を達成するために、請求項３に記載したように、装置の操作状況ステータスと手動によるスクリーンロック機能の動作方法とを関連付けた動作設定情報を保存する設定管理部と、前記手動によるスクリーンロック機能の動作の指示を入力装置から受けるインタラクティブ動作切換部と、前記スクリーンロック機能を動作させるスクリーンロック制御部と、前記インタラクティブ動作切換部から前記手動によるスクリーンロック機能の動作の指示を受けた場合に前記操作状況ステータスを取得し、前記設定管理部に保存された前記動作設定情報を参照して前記スクリーンロック機能の動作が禁止されていないと判定される場合には前記スクリーンロック機能の動作指示を前記スクリーンロック制御部に与えることにより前記操作状況ステータスに応じて前記スクリーンロック機能の動作を制御する装置監視部とを有することを特徴とするものである。
【００１６】
また、本発明に係るスクリーンロック制御システムは、上述の目的を達成するために、請求項１８に記載したように、装置の操作状況ステータスとスクリーンロック機能の動作方法とを関連付けた動作設定情報を保存する設定管理部と、前記スクリーンロック機能を動作させるスクリーンロック制御部と、前記操作状況ステータスを取得し、前記設定管理部に保存された前記動作設定情報に基づいて前記スクリーンロック機能の動作指示を前記スクリーンロック制御部に与えることにより前記操作状況ステータスに応じて前記スクリーンロック機能の動作を制御する装置監視部とを有することを特徴とするものである。
【００１７】
また、本発明に係るスクリーンロック制御プログラムは、上述の目的を達成するために、請求項１９に記載したように、コンピュータを、装置の操作状況ステータスとスクリーンロック機能の動作方法とを関連付けた動作設定情報を保存する設定管理部、前記スクリーンロック機能を動作させるスクリーンロック制御部および前記操作状況ステータスを取得し、前記設定管理部に保存された前記動作設定情報に基づいて前記スクリーンロック機能の動作指示を前記スクリーンロック制御部に与えることにより前記操作状況ステータスに応じて前記スクリーンロック機能の動作を制御する装置監視部として機能させることを特徴とするものである。
【発明の効果】
【００１８】
本発明に係る医療装置、スクリーンロック制御システムおよびスクリーンロック制御プログラムにおいては、スケジュールや運用状況等の使用条件に応じてスクリーンロック機能の動作を制御することができる。
【発明を実施するための最良の形態】
【００１９】
本発明に係る医療装置、スクリーンロック制御システムおよびスクリーンロック制御プログラムの実施の形態について添付図面を参照して説明する。
【００２０】
図１は本発明に係る医療装置の第１の実施形態を示す機能ブロック図である。
【００２１】
医療装置１は、アプリケーション実行部２およびハードウェア構成部３を備え、スクリーンロック制御システム４が搭載される。尚、医用装置１としては、超音波診断装置、Ｘ線ＣＴ装置、ＭＲＩ等の画像診断装置や検体装置並びにＨＩＳ，ＲＩＳ、ＰＡＣＳ等の医用情報システムとすることが可能であり、医用装置１に応じた機能を備えるための構成要素が設けられるが、ここでは省略する。
【００２２】
ハードウェア構成部３は、各種機能を有する複数のハードウェアで構成され、キーやマウス等の入力装置５や表示装置６の他、医療装置１に応じた機能を設けるための各種ハードウェア７を具備している。例えば、医療装置１が、Ｘ線ＣＴ装置、Ｘ線撮影装置、ＭＲＩ装置、超音波診断装置等の画像診断装置である場合には、寝台８に患者がセットされているか否かを確認するために寝台８に備えられる重量感知センサ９をハードウェア構成部３の構成要素とすることもできる。そして、ハードウェア構成部３を構成する所要のハードウェアの動作状況ステータスがスクリーンロック制御システム４に通知できるように構成されている。
【００２３】
アプリケーション実行部２は、検査アプリケーションや患者情報登録アプリケーション等の各種アプリケーションを実行する機能と、アプリケーションの実行状況ステータスをスクリーンロック制御システム４に通知する機能を有する。
【００２４】
スクリーンロック制御システム４は、例えばコンピュータにスクリーンロック制御プログラムを読み込ませて構築することができるが、スクリーンロック制御システム４の全部または一部を回路により構築してもよい。そして、スクリーンロック制御システム４には、医用装置においてスクリーンロック機能の動作を装置の使用条件に応じて制御する機能が備えられる。そのためにスクリーンロック制御システム４は、設定部１０、設定管理部１１、インタラクティブ動作切換部１２、装置監視部１３およびスクリーンロック制御部１４を具備している。
【００２５】
設定部１０は、ＧＵＩ（Graphical User Interface）技術により表示装置６にボタンや入力フィールド等の画像を表示させる一方、入力装置５の操作により医療装置１の使用状況に応じたスクリーンロック機能の動作方法の設定を行う機能と、設定したスクリーンロック機能の動作方法を動作設定情報として設定管理部１１に与える機能を有する。動作設定情報は、入力装置５からのユーザ指示を要する手動によるスクリーンロック機能のオンオフ動作のみならず、自動的にスクリーンロック機能を動作させるオートスクリーンロック機能のオンオフ動作並びに作動タイマの時間を任意の事象、例えば医療装置１の操作状況ステータスや操作頻度にユーザごとに関連付けて設定することができる。
【００２６】
また、設定部１０は、入力装置５から受けた動作設定情報の作成要求や変更要求があった場合に、動作設定情報の作成要求や変更要求があった旨を装置監視部１３に通知し、装置監視部１３から動作設定情報の作成や変更の可否の指示を受ける機能と、装置監視部１３から動作設定情報の作成や変更の許可を受けた場合には動作設定情報の作成情報や変更情報を設定管理部１１に与える機能を有する。
【００２７】
設定管理部１１は、設定部１０から受けた動作設定情報を保存する機能を有する。
【００２８】
インタラクティブ動作切換部１２は、入力装置５から手動によるスクリーンロック機能のオンオフ動作の切換指示を受けて装置監視部１３に与える機能を有する。
【００２９】
装置監視部１３は、アプリケーション実行部２からアプリケーションの実行状況ステータスの通知を受けることにより、またはハードウェア構成部３から各ハードウェアの動作状況ステータスを取得することにより医療装置１の操作状況を監視する機能と、設定管理部１１に保存された動作設定情報を参照することにより医療装置１が特定の操作状況ステータスとなった場合やその他特定の状態となった場合またはインタラクティブ動作切換部１２からスクリーンロック機能のオンオフ動作の切換指示を受けた場合にスクリーンロック制御部１４にスクリーンロック機能の動作切換指示を行う機能を有する。
【００３０】
従って、インタラクティブ動作切換部１２からのスクリーンロック機能のオンオフ動作の切換指示を受けることなく医療装置１が特定の操作状況ステータスとなった場合にスクリーンロック制御部１４にスクリーンロック機能の動作オン指示が行われるとオートスクリーンロック機能が動作する一方、インタラクティブ動作切換部１２からのスクリーンロック機能のオンオフ動作の切換指示を受けてスクリーンロック制御部１４にスクリーンロック機能の動作切換指示が行われると手動によるスクリーンロック機能が動作することとなる。
【００３１】
また、装置監視部１３は、設定部１０から動作設定情報の作成要求や変更要求があった旨の通知を受けた場合に設定管理部１１に保存された動作設定情報を参照し、指示された動作設定情報の作成や変更が禁止されているか否かを判定する機能と、判定結果を設定部１０に通知することにより、動作設定情報の作成や変更が禁止されていない場合に動作設定情報を変更または作成させる機能とを有する。
【００３２】
スクリーンロック制御部１４は、装置監視部１３から受けたスクリーンロック機能の動作指示に従って表示装置６を制御し、スクリーンロック機能を動作させる機能を有する。
【００３３】
次に医療装置１の動作および作用について説明する。
【００３４】
図２は、図１に示す医療装置１によりスクリーンロック機能の動作を制御する際の流れを示すフローチャートであり、図中Ｓに数字を付した符号はフローチャートの各ステップを示す。
【００３５】
まずステップＳ１において、スクリーンロック機能の動作方法が動作設定情報として設定される。動作設定情報の作成は、例えば医療装置１の据付時やメンテナンス時等のように検査が行われない期間に行うことができる。動作設定情報の作成は、ＧＵＩを介した情報の入力やメディア・リモート等から設定情報を読み込むことによって行うことができる。
【００３６】
そして、ユーザが入力装置５を操作し、スクリーンロック機能の設定要求を設定部１０に与えると、設定部１０はスクリーンロック機能の設定要求に従って動作設定情報を作成して設定管理部１１に与える。このため、設定管理部１１には、医療装置１の動作状況に応じたスクリーンロック機能の動作方法が動作設定情報として登録される。
【００３７】
図３は、図１に示す医療装置１の設定管理部１１に保存される動作設定情報の一例を示す図である。
【００３８】
図３に示すように、動作設定情報は、スクリーンロック機能の動作方法を医療装置１の動作状況に関連付けて設定することができる。図３に示す動作設定情報は、医療装置１がＸ線ＣＴ装置である場合の一例を示し、Ｘ線ＣＴ装置を用いた検査の業務フローに即して動作設定情報が作成されている。
【００３９】
すなわち、医療装置１の動作状況が、検査待機中、スキャンの準備中、スキャンの実行中、フィルミング中、ファイルの整理中である場合に、スクリーンロック機能の動作方法が緊急時、混雑時、閑散時別に定義されている。例えば、検査待機時において、緊急時にはスクリーンロック機能の動作が禁止とされ、スクリーンロック機能が動作しないように設定されているが、閑散時にはユーザが入力装置５の操作により手動でスクリーンロック機能の動作のオンオフ指示が可能であり、かつ５分間操作がなかった場合には自動的にオートスクリーンロック機能がオンになるように設定されている。このようにオートスクリーンロック機能がオンになるまでの時間も医療装置１の動作状況に関連付けて設定することができる。
【００４０】
また、スキャンの造影剤使用開始時には、医療装置１が緊急時、混雑時および閑散時のいずれの状態であってもスクリーンロック機能が動作しないように設定されている。
【００４１】
尚、Ｘ線ＣＴ装置に特有の特徴として、Ｘ線の曝射や造影剤の使用といった患者に対する安全性の配慮が必要となる状況があるという点がある。特に造影剤を使用する検査では、Ｘ線の曝射時のみスクリーンロック機能の動作を禁止するのではなく、造影剤注入開始からＸ線の曝射までのタイムラグも考慮して、造影剤注入開始からＸ線曝射終了までスクリーンロック機能の動作を禁止するように動作設定情報を作成することが実情に則していると言える。
【００４２】
同様に、他の画像診断装置を用いて造影剤を使用する検査においても、造影剤注入開始からスキャン開始までのタイムラグを考慮して造影剤注入開始からスキャン終了までスクリーンロック機能の動作を禁止するように動作設定情報を作成することが実情に則していると言える。
【００４３】
また、医療装置１がＸ線ＣＴ装置を含めた画像診断装置である場合には、画像診断装置がステータスが状態遷移することから画像診断装置のステータスにスクリーンロック機能の動作方法を関連付けて動作設定情報を作成することができる。
【００４４】
図４は、一般的な画像診断装置におけるステータスの遷移図である。
【００４５】
一般的な画像診断装置は図４に示すようにステータスが状態遷移する。すなわち、入力装置５の操作により画像診断装置を起動状態とすることができる。さらに、入力装置５の操作により、起動状態から患者登録状態へ、患者登録状態から画像撮影状態へ、画像撮影状態から患者登録状態または画像観察状態へ、画像観察状態から患者登録状態またはファイリング状態へ、ファイリング状態から患者登録状態または起動状態へ、それぞれステータスを遷移させることができる。各ステータスでは、ステータスに応じたアプリケーションが実行され、表示装置３にはアプリケーションごとの操作画面が表示される。
【００４６】
そこで、ステータスにスクリーンロック機能の動作方法を関連付けて動作設定情報を作成することができる。すなわち、患者登録状態、画像撮影状態、画像観察状態およびファイリング状態の少なくとも１つの状態においてをスクリーンロック機能の動作を禁止するように動作設定情報を作成することができる。例えば、画像診断装置のステータスが、スクリーンロック機能の動作をオンにすることが望ましくない患者登録状態および画像撮影状態である場合にはスクリーンロック機能の動作を禁止したり、あるいは患者登録状態および画像撮影状態に加えて画像診断装置のステータスが画像観察状態およびファイリング状態である場合にスクリーンロック機能の動作を禁止するように動作設定情報を作成することができる。
【００４７】
そして、画像診断装置のステータスが図４の各ステータス間におけるアイドリング状態である場合には、必要に応じて、スクリーンロック機能の動作を禁止しないように動作設定情報を作成することができる。
【００４８】
またこのような動作設定情報は、ユーザ別に定義することも可能である。
【００４９】
図５は、図１に示す医療装置１の設定管理部１１に保存される動作設定情報をユーザ別に定義した例を示す図である。
【００５０】
図５に示すように、デフォルトとしてスクリーンロック機能が動作するように設定されているが、医療装置１の状態ごとにユーザ別にスクリーンロック機能の動作を禁止することができる。例えば、医療装置１の状態が患者名登録時である場合に、ユーザＡが医療装置１を操作している場合にはスクリーンロック機能が動作するように設定されているが、ユーザＢが医療装置１を操作している場合にはスクリーンロック機能が動作しないように設定されている。
【００５１】
そして、設定管理部１１への動作設定情報の登録が完了すると、スクリーンロック機能の動作を制御することが可能となる。
【００５２】
次に、ステップＳ２において、医療装置１の動作が開始されると、装置監視部１３により医療装置１の動作が監視され、設定管理部１１に保存された動作設定情報に従って医療装置１の動作状況に応じてスクリーンロック機能の動作が制御される。特に、入力装置５の操作に依らないオートスクリーンロック機能を医療装置１の動作状況に応じて動作させることが可能である。
【００５３】
図６は、図１に示す医療装置１の装置監視部１３によりオートスクリーンロック機能の動作を制御する際の流れを示すフローチャートであり、図中Ｓに数字を付した符号はフローチャートの各ステップを示す。
【００５４】
まずステップＳ１１において、装置監視部１３は、アプリケーション実行部２やハードウェア構成部３からアプリケーションの実行ステータスまたは医療装置１の動作ステータスの通知を受けて、医療装置１の操作状況ステータスを取得する。
【００５５】
装置監視部１３が医療装置１の操作状況ステータスを取得する方法の例として、例えば患者を寝台８にセッティングする場合において、装置監視部１３は、アプリケーション実行部２から患者セッティング画面表示を行うアプリケーションが実行中であり”患者セッティング画面を表示している”旨の情報をアプリケーションの実行ステータスとして取得することができる。また、患者が寝台８にセットされた場合には、装置監視部１３は、ハードウェア構成部３の重量感知センサ９から患者が寝台８にセットされた旨の動作ステータスの通知を受けることができる。
【００５６】
さらに、図３に示すような医療装置１が緊急時、混雑時および閑散時、さらには昼休みのいずれの状態であるかといった医療現場ごと、スケジュールごとの運用状況によるステータスもアプリケーション実行部２やハードウェア構成部３における入力装置５等のハードウェアから装置監視部１３に対して同様に伝達することができる。
【００５７】
また、ユーザ毎にスクリーンロック機能の詳細な利用方法が異なる場合もあるため、図５に示すように、設定管理部１１にユーザ別に動作設定情報が登録されている場合には、アプリケーション実行部２やハードウェア構成部３の入力装置５からログイン情報等のユーザの識別情報が装置監視部１３に伝達されるように構成することができる。このようにユーザの識別情報を装置監視部１３が監視するように構成すれば、ユーザの属性や役割に合わせたスクリーンロック機能の運用も実現可能である。
【００５８】
次に、ステップＳ１１において、装置監視部１３は、取得した操作状況ステータスをキーにして設定部１０を参照し、オートスクリーンロック機能に関する動作設定情報を取得する。つまり、設定管理部１１に対して現在行うべきオートスクリーンロック機能の動作方法を問い合わせる。
【００５９】
次に、ステップＳ１２において、装置監視部１３は、取得したオートスクリーンロック機能の動作設定情報に従って、オートスクリーンロック機能のオンオフ動作指示をスクリーンロック制御部１４に与える。このため、スクリーンロック制御部１４は、装置監視部１３から受けたオートスクリーンロック機能の動作指示に従って表示装置６を制御し、オートスクリーンロック機能を動作させる。
【００６０】
この結果、医療装置１では、使用状況に応じてオートスクリーンロック機能の動作が自動的に制御される。このため、ユーザは手動によりオートスクリーンロック機能の動作を指示する必要がなくなり、利便性が向上する。さらに、医療装置１の検査等の使用中において、ユーザは入力装置５の操作により手動でオートスクリーンロック機能の動作を指示することもできる。
【００６１】
その場合には、図２のステップＳ３において、医療装置１が例えば検査中であり稼動している際に、ユーザが入力装置５からスクリーンロック機能の動作を指示するとスクリーンロック機能の動作指示がインタラクティブ動作切換部１２に与えられる。そして、インタラクティブ動作切換部１２からスクリーンロック機能の動作指示が装置監視部１３に与えられる。そうすると、装置監視部１３は、アプリケーション実行部２やハードウェア構成部３から取得した医療装置１の操作状況ステータスをキーとして設定管理部１１に対して問い合わせを行い、現在の操作状況ステータスに対応する動作設定情報を取得する。
【００６２】
そして、装置監視部１３は、現在の操作状況ステータスと動作設定情報に基づいて、スクリーンロック機能の手動による動作が禁止されていないかを確認する。さらに、手動によるスクリーンロック機能の動作が禁止されていないと判定された場合には、装置監視部１３は、スクリーンロック機能の動作指示をスクリーンロック制御部１４に与えてスクリーンロック機能を動作させる。
【００６３】
この結果、入力装置５からスクリーンロック機能の動作指示が入力された場合には、現在の操作状況ステータスにおいてスクリーンロック機能の動作が禁止されていない場合に限り手動によりスクリーンロック機能がオン状態となる。また、スクリーンロック機能のオフ操作もオン操作と同様に入力装置５からインタラクティブ動作切換部１２を介して行うことができる。
【００６４】
さらに、医療装置１の検査等の使用中において、ユーザは入力装置５の操作により設定管理部１１に登録された動作設定情報の設定変更や新規登録を行うこともできる。
【００６５】
その場合には、図２のステップＳ４において、医療装置１が例えば検査中であり稼動している際に、ユーザが入力装置５から動作設定情報の変更情報や作成情報を入力して動作設定情報の変更または作成を指示すると、入力された動作設定情報の変更情報や作成情報が設定部１０に与えられる。そして、設定部１０は、動作設定情報の変更または作成が指示された旨を装置監視部１３に通知する。
【００６６】
そうすると、装置監視部１３は、アプリケーション実行部２やハードウェア構成部３から取得した医療装置１の操作状況ステータスをキーとして設定管理部１１に対して問い合わせを行い、現在の操作状況ステータスに対応する動作設定情報を取得する。
【００６７】
そして、装置監視部１３は、現在の操作状況ステータスと動作設定情報に基づいて、動作設定情報の変更または作成が禁止されていないかを確認する。さらに、動作設定情報の変更または作成が禁止されていないと判定された場合には、装置監視部１３は、その旨を設定部１０に通知して動作設定情報の変更または作成を許可する。
【００６８】
次に、設定部１０は、装置監視部１３から動作設定情報の変更または作成の許可を受けると、入力装置５から受けた動作設定情報の変更情報や作成情報を設定管理部１１に与える。この結果、設定管理部１１に保存された動作設定情報の変更または動作設定情報の新規登録が行われる。
【００６９】
つまり、動作設定情報の作成要求や変更要求を受けるか否かの判断が現在の操作状況ステータスと動作設定情報により行われ、医療装置１の動作状況によっては動作設定情報の作成や変更が禁止される。
【００７０】
以上のような医療装置１は、医療現場ごとまたはスケジュールごとの運用状況に合わせて作業内容別にスクリーンロック機能のオンオフ動作やオートスクリーンロック機能の作動タイマの時間等の動作方法を設定できるようにしたものである。
【００７１】
このため、医療装置１によれば、使用条件に則したスクリーンロック機能の動作制御が可能となり、スムーズで安全な検査と患者情報保護の両立が実現できる。特にオートスクリーンロック機能を動作させることが可能となるため、医療装置１の使用状況に応じたスクリーンロック機能の手動操作が不要となる。例えば医療装置１が常にフル稼動する状況ではオートスクリーンロック機能を常にオフにして業務を円滑にする一方、逆に医療装置１の稼働率が低い場合には患者情報保護のためにオートスクリーンロック機能を積極的に利用することが可能となる。
【００７２】
また、例えば、Ｘ線ＣＴ装置においてフィルミング時にユーザが断続的に装置に入力を行うようなケースでは、オートスクリーンロック機能のみならず手動によるスクリーンロック機能を動作させないようにすることができる。同様にスキャン時において、Ｘ線や造影剤を使用する場合に安全上の観点からスクリーンロック機能を動作させないように制御することもできる。
【００７３】
さらには医療現場ごとのスケジュールやユーザの属性、役割に合わせ、ユーザが医療装置１の操作を行わない時間帯にはオートスクリーンロックの起動までの時間を短くするといった運用も実現できる。
【００７４】
図７は本発明に係る医療装置の第２の実施形態を示す機能ブロック図である。
【００７５】
図７に示された医療装置は、ＭＲＩ装置２０を対象としており、ハードウェア構成部３にアラートボタン２１が設けられた点が図１に示す医療装置１と相違する。他の構成および作用については図１に示す医療装置１と実質的に異ならないため同一の構成については同符号を付して説明を省略する。
【００７６】
一般にＭＲＩ装置２０では、ハードウェア構成部３にアラートボタン２１が設けられる。アラートボタン２１は、ＭＲＩ装置２０に特徴的な構成要素であり、被験者が緊急時にアラートボタン２１を押して緊急停止要求を行うことができるように構成される。
【００７７】
そこで、被験者からのアラートボタン２１が押されて緊急停止要求があった場合についてスクリーンロック機能の動作方法を定義し、被験者からの緊急停止要求が存在するか否かというステータスにスクリーンロック機能の動作方法を関連付けて動作設定情報を作成することができる。
【００７８】
そして、装置監視部１３がアラートボタン２１から操作された旨の通知を受けて被験者からの緊急停止要求というステータスの有無を監視できるように構成することができる。
【００７９】
このようにＭＲＩ装置２０を構成すれば、アラートボタン２１が押されて被験者からの緊急停止要求があった場合には、スクリーンロック機能の動作を禁止して、被験者の安全性を確保するといった運用が可能となる。
【００８０】
尚、ＭＲＩ装置２０に限らず、緊急停止要求を行うための医療装置において、同様にアラートボタン２１が押されて緊急停止要求があった場合についてスクリーンロック機能の動作方法を定義することができる。また、装置監視部１３がアラートボタン２１から通知を受けて医療装置のステータスを監視できるように構成することができる。
【００８１】
図８は本発明に係る医療装置の第３の実施形態を示す機能ブロック図である。
【００８２】
図８に示された医療装置は、Ｘ線撮影装置３０を対象としており、ハードウェア構成部３の構成要素であるコンソール３１が複数箇所、例えば第１のコンソール３１ａ、第２のコンソール３１ｂの２箇所に分かれている点が図１に示す医療装置１と相違する。他の構成および作用については図１に示す医療装置１と実質的に異ならないため同一の構成については同符号を付して説明を省略する。
【００８３】
Ｘ線撮影装置３０には、コンソール３１が第１のコンソール３１ａ、第２のコンソール３１ｂの２箇所に分かれているものがある。このような場合には、第１のコンソール３１ａ、第２のコンソール３１ｂのそれぞれから動作状況ステータスが装置監視部１３に通知され、かつ各入力装置５からの情報が設定部１０およびインタラクティブ動作切換部１２に与えられるように構成し、スクリーンロック制御部１４から第１のコンソール３１ａ、第２のコンソール３１ｂにスクリーンロック機能の動作指示が与えられるように構成することができる。また、この場合、コンソール３１別にスクリーンロック機能の動作方法を設定して動作設定情報を作成することができる。
【００８４】
このような構成により、Ｘ線撮影装置３０にコンソール３１が複数存在したとしても、コンソール３１ごとにスクリーンロック機能の動作を制御することが可能となる。
【００８５】
尚、Ｘ線撮影装置３０に限らず、コンソール３１が複数存在する医療装置において、同様にコンソール３１ごとにスクリーンロック機能の動作を制御することが可能である。
【００８６】
図９は本発明に係る医療装置の第４の実施形態を示す機能ブロック図である。
【００８７】
図９に示された医療装置は、超音波診断装置４０を対象としており、ハードウェア構成部３の構成要素として使用個所情報取得部４１を設けた点が図１に示す医療装置１と相違する。他の構成および作用については図１に示す医療装置１と実質的に異ならないため同一の構成については同符号を付して説明を省略する。
【００８８】
超音波診断装置４０には、装置を移動して検査室、手術室、病室等の様々な使用個所で利用できるものがある。そこで、超音波診断装置４０の使用個所ごとにスクリーンロック機能の動作方法を設定して設定管理部１１に保存される動作設定情報を作成することができる。
【００８９】
そして、装置監視部１３に超音波診断装置４０の使用個所を監視する機能を設けることができる。超音波診断装置４０の使用個所の監視方法としては、例えばＩＰ（Internet Protocol）アドレス等の使用個所を特定するための使用個所情報を取得する使用個所情報取得部４１をハードウェア構成部３に設け、使用個所情報取得部４１から使用個所情報が装置監視部１３に通知されるようにする方法が挙げられる。また、例えば、入力装置５からＩＰアドレスや”手術室”等の超音波診断装置４０の使用個所を特定するための使用個所情報の入力を受けて装置監視部１３が使用個所情報を取得するように構成することもできる。
【００９０】
このように構成された超音波診断装置４０によれば、超音波診断装置４０の使用個所に応じたスクリーンロック機能の運用が実現可能である。
【００９１】
尚、超音波診断装置４０に限らず、装置を移動して使用される医療装置において、同様に使用個所ごとにスクリーンロック機能の動作を制御することが可能である。また、使用個所情報取得部４１から医療装置の使用個所情報が装置監視部１３に通知されるようにすることもできる。
【００９２】
以上のような各実施形態の他、様々な医療装置を対象として、所望の事象に関連付けてスクリーンロック機能の動作方法を定義することが可能である。そして、スクリーンロック機能の動作方法に関連付けられた事象のステータスを装置監視部１３が監視するように構成することができる。そして、装置監視部１３によるステータスの監視方法は、アプリケーション実行部２やハードウェア構成部３からステータスの監視に必要な情報の通知を受ける方法の他、入力装置５からの入力を受付ける方法が挙げられる。
【００９３】
例えば、医療装置がＰＡＣＳである場合には、ＰＡＣＳに特有な特徴として、ＰＡＣＳは多人数の医師が集まって行う読影において利用される場合や依頼科でのカンファレンスにおいて利用される場合があるという点が挙げられる。そこで、ＰＡＣＳの利用対象の種別ごとにスクリーンロック機能の動作方法を定義することができる。そして、例えば入力装置５から入力された”読影”や”カンファレンス”等の利用対象の種別を装置監視部１３が取得するように構成することができる。
【００９４】
また、例えば、医療装置がＲＩＳである場合には、ＲＩＳに特有な特徴として、ＲＩＳは帳票出力やオーダ作成といった目的で利用されるという点が挙げられる。そこで、ＲＩＳの利用目的別にスクリーンロック機能の動作方法を定義することができる。そして、例えば入力装置５から入力された”帳票出力”や”オーダ作成”等の利用目的を装置監視部１３が取得するように構成することができる。
【図面の簡単な説明】
【００９５】
【図１】本発明に係る医療装置の第１の実施形態を示す機能ブロック図。
【図２】図１に示す医療装置によりスクリーンロック機能の動作を制御する際の流れを示すフローチャート。
【図３】図１に示す医療装置の設定管理部に保存される動作設定情報の一例を示す図。
【図４】一般的な画像診断装置におけるステータスの遷移図。
【図５】図１に示す医療装置の設定管理部に保存される動作設定情報をユーザ別に定義した例を示す図。
【図６】図１に示す医療装置の装置監視部によりオートスクリーンロック機能の動作を制御する際の流れを示すフローチャート。
【図７】本発明に係る医療装置の第２の実施形態を示す機能ブロック図。
【図８】本発明に係る医療装置の第３の実施形態を示す機能ブロック図。
【図９】本発明に係る医療装置の第４の実施形態を示す機能ブロック図。
【符号の説明】
【００９６】
１  医療装置
２  アプリケーション実行部
３  ハードウェア構成部
４  スクリーンロック制御システム
５  入力装置
６  表示装置
７  ハードウェア
８  寝台
９  重量感知センサ
１０  設定部
１１  設定管理部
１２  インタラクティブ動作切換部
１３  装置監視部
１４  スクリーンロック制御部
２０  ＭＲＩ装置
２１  アラートボタン
３０  Ｘ線撮影装置
３１  コンソール
３１ａ  第１のコンソール
３１ｂ  第２のコンソール
４０  超音波診断装置
４１  使用個所情報取得部
【図１】
2006230648.tif 000003
【図２】
2006230648.tif 000004
【図３】
2006230648.tif 000005
【図４】
2006230648.tif 000006
【図５】
2006230648.tif 000007
【図６】
2006230648.tif 000008
【図７】
2006230648.tif 000009
【図８】
2006230648.tif 000010
【図９】
2006230648.tif 000011